(57)【特許請求の範囲】
【請求項１】
所定の距離内で無線通信により本体と通信するハンドセットを含む第１および第２の電話機と、前記第１および第２の電話機とネットワークを介して接続されるサーバとによる通信制御方法であって、
前記サーバは、前記第１の電話機のハンドセットである第１のハンドセットがいずれの電話機と無線通信により通信許可されているかを示す情報である通信許可登録情報を保持し、
前記第１のハンドセットは、操作者の指示入力により前記第１の電話機の本体および前記ネットワークを介して前記第１および第２の電話機とは異なる第３の電話機と通信を開始した後、前記第１の電話機の本体から受信する電波の強度が予め決められた閾値よりも小さくなると、接続を要求する旨の情報を含む接続要求信号の電波を外部に送出し、
前記第２の電話機は、自機のハンドセットである第２のハンドセットが使用されていないとき、前記第１のハンドセットから無線通信により前記接続要求信号を受信すると、該第１のハンドセットと通信許可されているか否かを問い合わせる旨の情報を含む照会信号を前記サーバに送信し、
前記サーバは、前記第２の電話機から前記照会信号を受信すると、前記通信許可登録情報を参照し、前記第１のハンドセットが前記第２の電話機と通信許可されているか否かを判定し、その結果を示す認証結果を前記第２の電話機に送信し、
前記第２の電話機は、前記サーバから受信する前記認証結果が通信を許可するものであると、前記第１のハンドセットと無線通信により接続し、
前記サーバは、前記第２の電話機に送信した前記認証結果が通信を許可するものであると、前記第２の電話機に前記第３の電話機との通信を開始させ、前記第１の電話機の本体に該第３の電話機との通信を切断させる、通信制御方法。
【請求項２】
前記第２の電話機は、無線通信を可能にするためのペアリング情報を前記第１のハンドセットとやり取りすることで、該第１のハンドセットと無線通信により接続する、請求項１記載の通信制御方法。
【請求項３】
前記第１および第２の電話機のそれぞれは、自機の前記ハンドセットが使用されていないとき、定期的に前記接続要求信号を監視する、請求項１または２記載の通信制御方法。
【請求項４】
前記第１の電話機の本体は、前記第１のハンドセットが前記第３の電話機と通信を開始すると、該第１のハンドセットが該第３の電話機と通信接続していることを登録するための情報である通信接続情報を前記サーバに送信し、
前記サーバは、受信する通信接続情報を格納し、通信を許可する旨の前記認証結果を前記第２の電話機に送信すると、前記通信接続情報を参照し、前記第１のハンドセットの通信先となる前記第３の電話機を特定する、請求項１から３のいずれか１項記載の通信制御方法。
【請求項５】
所定の距離内で無線通信により本体と通信するハンドセットを含む第１および第２の電話機がネットワークを介して接続される通信システムであって、
前記第１の電話機のハンドセットである第１のハンドセットがいずれの電話機と無線通信により通信許可されているかを示す情報である通信許可登録情報を保持するサーバをさらに有し、
前記第１のハンドセットは、
操作者の指示入力により前記第１の電話機の本体および前記ネットワークを介して前記第１および第２の電話機とは異なる第３の電話機と通信を開始した後、前記第１の電話機の本体から受信する電波の強度が予め決められた閾値よりも小さくなると、接続を要求する旨の情報を含む接続要求信号の電波を外部に送出し、接続を了承する旨の情報を含む接続了承信号を前記第２の電話機から受信すると、該第２の電話機と無線通信により接続し、
前記第２の電話機は、
自機のハンドセットである第２のハンドセットが使用されていないとき、前記第１のハンドセットから無線通信により前記接続要求信号を受信すると、該第１のハンドセットと通信許可されているか否かを問い合わせる旨の情報を含む照会信号を前記サーバに送信し、前記第１のハンドセットが自機と通信許可されているか否かを示す認証結果を前記サーバから受信し、該認証結果が通信を許可するものであると、前記接続了承信号を前記第１のハンドセットに送信し、
前記サーバは、
前記第２の電話機から前記照会信号を受信すると、前記通信許可登録情報を参照し、前記第１のハンドセットが前記第２の電話機と通信許可されているか否かを判定し、その結果を示す認証結果を前記第２の電話機に送信し、該認証結果が通信を許可するものであると、前記第２の電話機に前記第３の電話機との通信を開始させ、前記第１の電話機の本体に該第３の電話機との通信を切断させる、通信システム。
【請求項６】
前記第１のハンドセットは、前記第２の電話機から前記接続了承信号を受信すると、該第２の電話機と無線通信を可能にするためのペアリング情報をやり取りする、請求項５記載の通信システム。
【請求項７】
前記第１および第２の電話機のそれぞれは、自機の前記ハンドセットが使用されていないとき、定期的に前記接続要求信号を監視する、請求項５または６記載の通信システム。
【請求項８】
前記第１の電話機の本体は、前記第１のハンドセットが前記第３の電話機と通信を開始すると、該第１のハンドセットが該第３の電話機と通信接続していることを登録するための情報である通信接続情報を前記サーバに送信し、
前記サーバは、受信する通信接続情報を格納し、通信を許可する旨の前記認証結果を前記第２の電話機に送信すると、前記通信接続情報を参照し、前記第１のハンドセットの通信先となる前記第３の電話機を特定する、請求項５から７のいずれか１項記載の通信システム。
【発明の詳細な説明】
【技術分野】
【０００１】
本発明は、受話器と電話機本体とが無線可能な複数の電話機による通信制御方法および通信システムに関する。
【背景技術】
【０００２】
固定の電話機は、受話器と電話機本体とが螺旋コードで接続されているものが一般的だった。近年、受話器と電話機本体との間で音声データの送受信を近距離無線通信で行うようにして、受話器を電話機本体から取り外し可能にしたコードレスホンが増えている。受話器と電話機本体との通信に用いられる近距離無線通信規格の一例として、Bluetooth（登録商標）がある（特許文献１参照）。
【０００３】
電話機本体と受話器とが螺旋コードのように有線で接続されていると、利用者は、電話機本体からそのコードの長さに相当する２〜３ｍの範囲に居て通話するしかないが、Bluetooth（登録商標）技術を用いた電話機では、電話機本体から約１０ｍの距離まで離れても通話することが可能である。以下では、電話機本体と近距離無線通信で音声データを送受信する受話器をハンドセットと称する。
【０００４】
ハンドセットおよび電話機本体の間で近距離無線通信を可能にするために、お互いに通信に必要な情報をやり取りするペアリングという処理を予め行っている。ペアリングを予め行うことで、ハンドセットと電話機本体との間でやり取りされる音声データが、電話機本体に接続された電話回線を介して他の電話機との間で送受信される。
【０００５】
一方、Bluetooth（登録商標）通信用のアクセスポイントを多数設置し、Bluetooth（登録商標）通信用端末でハンドオーバを可能にした方法の一例が特許文献２に開示されている。
【特許文献１】特開２００７−９６４４５号公報
【特許文献２】特開２００４−７０７２号公報
【発明の開示】
【発明が解決しようとする課題】
【０００６】
上述したように、ハンドセットと電話機本体は１対１でペアリングが行われるため、ハンドセットはペアリングされた電話機本体のみと通信可能である。そのため、ペアリングされたハンドセットと電話機本体との距離が無線通信範囲内であれば問題ないが、その距離が無線通信範囲より大きくなってしまうと、電話機を利用できなってしまう。
【０００７】
利用者が通話中に移動し、電話機本体との距離が無線通信範囲より大きくなってしまうと、突然電話が切れてしまうことになる。この場合、上述の電話機には受話器を電話機本体から遠く離しても利用できるという利点を有しているにもかかわらず、利用者は通話しながら電話機本体との距離を気にしなければならず、不便である。
【０００８】
また、特許文献２の方法では、アクセスポイントとなる機器を多数設置する必要があり、設置するアクセスポイントの数だけ費用がかかってしまう。
【０００９】
本発明は上述したような技術が有する問題点を解決するためになされたものであり、電話機に付属するハンドセットによるハンドオーバを可能にした通信制御方法および通信システムを提供することを目的とする。
【課題を解決するための手段】
【００１０】
上記目的を達成するための本発明の通信制御方法は、所定の距離内で無線通信により本体と通信するハンドセットを含む第１および第２の電話機と、前記第１および第２の電話機とネットワークを介して接続されるサーバとによる通信制御方法であって、
前記サーバは、前記第１の電話機のハンドセットである第１のハンドセットがいずれの電話機と無線通信により通信許可されているかを示す情報である通信許可登録情報を保持し、
前記第１のハンドセットは、操作者の指示入力により前記第１の電話機の本体および前記ネットワークを介して前記第１および第２の電話機とは異なる第３の電話機と通信を開始した後、前記第１の電話機の本体から受信する電波の強度が予め決められた閾値よりも小さくなると、接続を要求する旨の情報を含む接続要求信号の電波を外部に送出し、
前記第２の電話機は、自機のハンドセットである第２のハンドセットが使用されていないとき、前記第１のハンドセットから無線通信により前記接続要求信号を受信すると、該第１のハンドセットと通信許可されているか否かを問い合わせる旨の情報を含む照会信号を前記サーバに送信し、
前記サーバは、前記第２の電話機から前記照会信号を受信すると、前記通信許可登録情報を参照し、前記第１のハンドセットが前記第２の電話機と通信許可されているか否かを判定し、その結果を示す認証結果を前記第２の電話機に送信し、
前記第２の電話機は、前記サーバから受信する前記認証結果が通信を許可するものであると、前記第１のハンドセットと無線通信により接続し、
前記サーバは、前記第２の電話機に送信した前記認証結果が通信を許可するものであると、前記第２の電話機に前記第３の電話機との通信を開始させ、前記第１の電話機の本体に該第３の電話機との通信を切断させるものである。
【００１１】
また、本発明の通信制御システムは、所定の距離内で無線通信により本体と通信するハンドセットを含む第１および第２の電話機がネットワークを介して接続される通信システムであって、
前記第１の電話機のハンドセットである第１のハンドセットがいずれの電話機と無線通信により通信許可されているかを示す情報である通信許可登録情報を保持するサーバをさらに有し、
前記第１のハンドセットは、
操作者の指示入力により前記第１の電話機の本体および前記ネットワークを介して前記第１および第２の電話機とは異なる第３の電話機と通信を開始した後、前記第１の電話機の本体から受信する電波の強度が予め決められた閾値よりも小さくなると、接続を要求する旨の情報を含む接続要求信号の電波を外部に送出し、接続を了承する旨の情報を含む接続了承信号を前記第２の電話機から受信すると、該第２の電話機と無線通信により接続し、
前記第２の電話機は、
自機のハンドセットである第２のハンドセットが使用されていないとき、前記第１のハンドセットから無線通信により前記接続要求信号を受信すると、該第１のハンドセットと通信許可されているか否かを問い合わせる旨の情報を含む照会信号を前記サーバに送信し、前記第１のハンドセットが自機と通信許可されているか否かを示す認証結果を前記サーバから受信し、該認証結果が通信を許可するものであると、前記接続了承信号を前記第１のハンドセットに送信し、
前記サーバは、
前記第２の電話機から前記照会信号を受信すると、前記通信許可登録情報を参照し、前記第１のハンドセットが前記第２の電話機と通信許可されているか否かを判定し、その結果を示す認証結果を前記第２の電話機に送信し、該認証結果が通信を許可するものであると、前記第２の電話機に前記第３の電話機との通信を開始させ、前記第１の電話機の本体に該第３の電話機との通信を切断させるものである。
【発明の効果】
【００１２】
本発明によれば、電話機に付属するハンドセットがその電話機との無線通信範囲を超えても、他の電話機との無線通信を行うことでハンドオーバを実現でき、利用者は無線通信範囲を気にしなくてもすむ。既存のコードレスホンを利用すれば、設備にかかる費用を抑制できる。
【発明を実施するための最良の形態】
【００１３】
本実施形態の通信システムについて説明する。図１は本実施形態の通信システムを説明するための図である。
【００１４】
本実施形態の通信システムは、電話機１０ａ、１０ｂと、管理サーバ３０とを有する。電話機１０ａ、１０ｂおよび管理サーバ３０はネットワーク１００で接続されている。電話機１０ａにはハンドセット２０ａが付属し、電話機１０ｂにはハンドセット２０ｂが付属している。ネットワーク１００に構内交換機（ＰＢＸ：Private Branch eXchange）４０が接続されている。
【００１５】
このＰＢＸ４０はインターネットプロトコル（ＩＰ）用の交換機であり、電話機１０ａ、１０ｂはＩＰ電話機である。ハンドセット２０ａ、２０ｂおよび電話機１０ａ、１０ｂのそれぞれには、機器を特定するために異なる識別子（ＩＤ）が付与されている。以下では、ハンドセットのＩＤをハンドセットＩＤと称し、電話機のＩＤを電話機ＩＤと称する。これらのＩＤは、ＩＰパケットの送信先または送信元を特定するためのアドレスとなる。
【００１６】
なお、本実施形態では、電話機とハンドセットは、近距離無線通信としてBluetooth（登録商標）の規格にしたがって通信可能であるものとする。また、電話機の台数を２台の場合で説明するが、３台以上であっても同様である。以下に、電話機およびハンドセットの構成について説明する。
【００１７】
図２は本実施形態における電話機およびハンドセットの一構成例を示すブロック図である。電話機１０ａ、１０ｂは同様な構成であるため、電話機１０ａの構成について説明し、電話機１０ｂの説明を省略する。
【００１８】
図２（ａ）に示すように、電話機１０ａは、ネットワーク１００を介して通信するための通信部１１と、ハンドセットと無線通信するための無線通信部１２と、各部を制御する制御部１５とを有する構成である。通信部１１は、ＰＢＸ４０と音声データのパケットを送受信する音声データ通信部１１１と、管理サーバ３０と管理データのパケットを通信するための管理データ通信部１１３とを有する。
【００１９】
音声データのパケットは、送信元と送信先のそれぞれのＩＤの情報を含むヘッダと、音声の情報とを有する。管理データのパケットは、ヘッダと、通信接続または切り替えの制御に必要な情報とを有する。
【００２０】
制御部１５には、プログラムにしたがって所定の処理を実行するＣＰＵ（Central Processing Unit）（不図示）と、プログラムを格納するためのメモリ（不図示）とが設けられている。このメモリには、自装置の電話機ＩＤと、付属するハンドセットのハンドセットＩＤとが予め登録されている。さらに、このメモリには、通信接続する相手とペアリングに必要な情報であるペアリング情報が登録されている。ペアリング情報として、例えば、認証した相手とだけ通信可能にするためのリンクキーがある。
【００２１】
ここで、ＣＰＵがプログラムを実行することによる、制御部１５の動作を図３のフローチャートを用いて説明する。
【００２２】
制御部１５は、定期的に無線通信部１２を起動させ、電波を受信可能な状態にする（ステップ１００１）。ハンドセットＩＤおよび接続要求の情報を含む接続要求信号を無線通信部１２を介して受信すると（ステップ１００２）、その信号に含まれるハンドセットＩＤがメモリに登録されたハンドセットＩＤと一致するか否かを確認する（ステップ１００３）。これらのＩＤが一致していれば、自分の電話機ＩＤおよび接続を了承した旨の情報を含む接続了承信号を無線通信部１２を介してハンドセット２０ａに送信する。その後、ペアリング情報をハンドセット２０ａに送信することで、ハンドセット２０ａと通信が確立する（ステップ１００６）。
【００２３】
一方、ステップ１００３で、２つのハンドセットＩＤが一致していなければ、制御部１５は、接続要求信号に含まれるハンドセットＩＤのハンドセットと通信許可されているか否かを調べるために、そのハンドセットＩＤ、自分の電話機ＩＤ、および通信許可されているか否かを問い合わせる旨の情報を含む照会信号を管理データ通信部１１３を介して管理サーバ３０に送信する（ステップ１００４）。管理サーバ３０から受信する認証結果が通信を許可する旨の情報であれば、接続了承信号を無線通信部１２を介してハンドセットに送信し、ペアリング情報を共有し、ハンドセット２０ａと通信が確立する（ステップ１００６）。その反対に、認証結果が通信を許可しない旨の情報であれば、何も応答せず（ステップ１００５）、ステップ１００１に戻る。
【００２４】
また、制御部１５は、ハンドセットと通信を確立し、ネットワーク１００を介して通話目的の相手先の電話機（不図示）と通信を確立すると、そのハンドセットのハンドセットＩＤ、自装置の電話機ＩＤおよび通信先の電話機ＩＤの情報を含む通信接続情報を管理情報として管理データ通信部１１３を介して管理サーバ３０に送信する。さらに、制御部１５は、管理サーバ３０から通信切断の指示を受信すると、通信しているハンドセットとの通信を止める。一方、電話機（不図示）の電話機ＩＤおよびこの電話機と通信接続を指示する旨の接続指示信号を管理サーバ３０から管理データ通信部１１３を介して受信すると、その電話機と通信を確立する。
【００２５】
なお、制御部１５は、ＩＰ電話機の通常の機能として、ＰＢＸ４０に対して制御信号を送信したり、ＰＢＸ４０からの指示にしたがって通話の制御を行ったりするが、この制御については本発明の特徴に関連しないため、詳細な説明を省略する。
【００２６】
次に、ハンドセットの構成について説明する。電話機と同様に、ハンドセット２０ａ、２０ｂは同様な構成であるため、ハンドセット２０ａの構成について説明し、ハンドセット２０ｂの説明を省略する。
【００２７】
図２（ｂ）は本実施形態におけるハンドセットの一構成例を示すブロック図である。ハンドセット２０ａは、電話機本体と無線通信するための無線通信部２２と、通信制御を行う制御部２５と、利用者が指示を入力するための操作部２７とを有する。制御部２５は、プログラムにしたがって所定の処理を実行するＣＰＵ（不図示）と、プログラムを格納するためのメモリ（不図示）とを有する。また、このメモリには、相手と通信接続するためのペアリング情報が登録されている。
【００２８】
制御部２５は、操作部２７のオフフックボタンが押されると、接続要求信号を含む電波を無線通信部２２を介して外部に送出する。電話機から接続了承信号を受信すると、互いにペアリング情報をやり取りしてペアリング情報を共有し、その電話機と通信が確立する。ここでは、通信が確立した電話機を電話機１０ａとする。通信が確立した後、電話機１０ａから受信する電波の強度を監視し、電波の強度が閾値より小さくなると、接続要求信号を含む電波を外部に送出する。この閾値は、通信接続先の電話機を新たに探す必要があるか否かの判定基準であり、制御部２５内のメモリ（不図示）に予め登録されている。
【００２９】
制御部２５は、新たに送出した接続要求信号に対して電話機１０ｂから接続了承信号を受信すると、接続了承信号に含まれる電話機ＩＤが現在通信している電話機１０ａと異なることを確認し、ペアリング情報を電話機１０ｂと共有した後、電話機１０ｂと通信を確立する。その後、電話機１０ａとの通信接続が切れると、電話機１０ｂとのみ通信を行う。
【００３０】
なお、制御部２５は、電話機１０ａとの間で音声データのパケット送受信のための制御も行うが、その制御については、Bluetooth（登録商標）と同様であるため、その詳細な説明を省略する。
【００３１】
次に、管理サーバ３０の構成について説明する。図４は本実施形態における管理サーバの一構成例を示すブロック図である。
【００３２】
図４に示すように、管理サーバ３０は、ネットワーク１００を介して電話機１０ａ、１０ｂと通信するための通信部３１と、電話機およびハンドセットの通信許可に関する情報を格納するための記憶部３３と、電話機１０ａ、１０ｂからの問い合わせに対して返信する制御部３５とを有する。制御部３５には、プログラムにしたがって所定の処理を実行するＣＰＵ（不図示）と、プログラムを格納するためのメモリ（不図示）とが設けられている。
【００３３】
記憶部３３には、ハンドセットおよび電話機について通信許可されているか否かの情報である通信許可登録情報が格納されている。ハンドセット２０ａが電話機１０ａおよび電話機１０ｂのそれぞれと通信することが許可されていれば、通信許可登録情報には、ハンドセット２０ａのハンドセットＩＤと電話機１０ａ、１０ｂのそれぞれの電話機ＩＤとが組になって登録されている。このように、１つのハンドセットが複数の電話機と通信できるように、１つのハンドセットＩＤに対応して複数の電話機ＩＤが一緒に登録されている。
【００３４】
ここで、通信許可登録情報の必要性について説明する。
【００３５】
Bluetooth（登録商標）の通信機能を備えた機器は、電話機やハンドセットに限らず、音楽用ヘッドホンや携帯電話用ハンズフリーなど種類が多い。ハンドセットが接続要求信号を送出したとき、電話機以外の機器がそれに応答してしまうことがある。通信許可登録情報に、ハンドセットと通信接続してもよい機器のＩＤを予め登録しておくことで、ハンドセットが電話機以外の機器と間違って通信接続してしまうことを防げる。また、外線を受け付ける電話機のように、より重要な通話のために電話回線を確保する必要のある電話機もある。そのような電話機が付属以外のハンドセットの通信に使用されては困ることになる。このような場合、その電話機のＩＤを通信許可登録情報に記述しないようにすればよい。
【００３６】
なお、通信許可登録情報の登録形式は、上述したのは一例であり、どのハンドセットがどの電話機と通信許可されているかがわかれば他の形式であってもよい。
【００３７】
また、記憶部３３には、ハンドセットがどの電話機を介してどの電話機と通信接続されているかを管理するための通信接続登録情報が格納されている。例えば、ハンドセット２０ａが電話機１０ａと通信し、電話機１０ａが電話機１０ｂと通信接続されていると、ハンドセット２０ａ、電話機１０ａおよび電話機１０ｂのそれぞれのＩＤが一緒になった通信接続情報として、通信接続登録情報に登録される。
【００３８】
制御部３５は、通信部３１を介して電話機から照会信号を受信すると、記憶部３３に格納した通信許可登録情報を参照し、照会信号に含まれる電話機ＩＤとハンドセットＩＤとが組になって登録されているか否かを判定する。参照した結果、それら２つのＩＤが１つの組になって登録されている場合、通信を許可する旨の認証結果を通信部３１を介して電話機に送信する。その反対に、それら２つのＩＤが１つの組の中に登録されていない場合、通信を許可しない旨の認証結果を通信部３１を介して電話機に送信する。
【００３９】
ここで、制御部３５は、同じハンドセットについての照会信号を複数受信し、通信許可登録情報を参照したところ、通信を許可する旨の認証結果を複数の電話機に対してそれぞれ返信することが可能になる場合も考えられる。この場合、制御部３５は、複数の電話機のうちいずれか１つを選択して、その電話機に対して、通信を許可する旨の認証結果を送信する。選択方法としては、照会信号を一番早く送ってきた電話機を選択する方法がある。
【００４０】
また、制御部３５は、次のような動作を行う。ここでは、説明が複雑になるため、３台の電話機Ａ、Ｂ、Ｃの場合で説明する。初めにハンドセットが電話機Ａと通信し、また、電話機Ａは電話機Ｃと通信しているものとする。その後、ハンドセットの移動により電話機Ｂと電話機Ｃが接続するものとする。
【００４１】
電話機Ａが電話機Ｂと通信を開始すると、制御部３５は、電話機Ａから受信する通信接続情報を記憶部３３の通信接続登録情報に登録する。ここには、ハンドセット、電話機Ａおよび電話機ＣのＩＤが登録される。そして、電話機Ｂから照会信号を受信し、通信許可登録情報の結果から、通信を許可する旨の認証結果を電話機Ｂに送信すると、照会信号に含まれるハンドセットＩＤからこのハンドセットがどの電話機と通信していたかを、通信接続登録情報を参照して調べる。相手先の電話機Ｃを特定すると、電話機Ｂに対して、電話機Ｃの電話機ＩＤを含む接続指示信号を送信する。その後、通信接続登録情報に登録されたハンドセット、電話機Ａおよび電話機ＣのＩＤの情報のうち、電話機ＡのＩＤを電話機ＢのＩＤに書き換える。さらに、電話機Ａに対してハンドセットとの通信を切断する旨を要求する。
【００４２】
なお、通信接続先の変更方法として、本実施形態では、電波強度の強い方と弱い方の両方と通信した状態で電波強度の弱い方を切断し、電波強度の強い方と通信を維持するソフトハンドオーバの場合で説明しているが、電波の弱い方との通信接続から電波強度の強い方に切り替えるハードハンドオーバであってもよい。ソフトハンドオーバの場合、ＰＢＸ４０には、２台の電話機から同じ音声データのパケットを受信するが、２台の電話機からの音声データのパケットのうちいずれか一方を選択して相手の電話機（不図示）宛に送信すればよい。また、ハンドオーバ技術として、特許文献２に開示された方法を用いてもよい。
【００４３】
次に、通信システムの動作を説明する。図５は本実施形態の通信システムの動作を説明するための図であり、図６は本実施形態の通信システムの動作手順を示すフローチャートである。ここでは、ハンドセット２０ａが電話機１０ａ、１０ｂと通信許可されているものとする。
【００４４】
利用者が電話機１０ａのハンドセット２０ａを操作し、ハンドセット２０ａを電話機１０ａおよびネットワーク１００介して他の電話機（不図示）と通信を確立し（ステップ１１０１）、通話を開始する。その際、電話機１０ａは、管理サーバ３０に対して通信接続情報を送信する（ステップ１１０２）。管理サーバ３０は、受信した通信接続情報を登録する（ステップ１１０３）。続いて、図５に示すように、利用者がハンドセット２０ａを持って移動し、電話機１０ａから離れて電話機１０ｂに近づく。ハンドセット２０ａは電話機１０ａからの電波強度が閾値よりも小さくなったことを検出すると、接続要求信号を送出する（ステップ１１０４）。
【００４５】
電話機１０ｂは、ハンドセット２０ａから接続要求信号を受信すると、付属のハンドセット２０ｂからの信号であるか否かを調べる。ハンドセット２０ｂからの接続要求信号でないことがわかると、ハンドセットＩＤとしてハンドセット２０ａのＩＤを含む照会信号を管理サーバ３０に送信する（ステップ１１０５）。
【００４６】
管理サーバ３０は、電話機１０ｂから照会信号を受信すると、通信許可登録情報を参照し（ステップ１１０６）、照会信号に含まれているハンドセットＩＤと電話機ＩＤが１つの組に登録されているか否かを判定する。ハンドセット２０ａ、電話機１０ａおよび電話機１０ｂのＩＤが１つの組に登録されていることを確認すると、通信を許可する旨の認証結果を電話機１０ｂに送信する（ステップ１１０７）。
【００４７】
電話機１０ｂは、管理サーバ３０から認証結果を受信し、その内容が通信を許可するものであることを認識すると、電話機１０ｂはハンドセット２０ａに接続了承信号を送信し（ステップ１１０８）、続いて、ペアリング情報をお互いに送受信する。ハンドセット２０ａと電話機１０ｂとがペアリング情報を共有し（ステップ１１０９）、両者の間で通信が確立する（ステップ１１１０）。
【００４８】
一方、管理サーバ３０は、ステップ１１０７の後、通信接続登録情報を参照し（ステップ１１１１）、ハンドセット２０ａのハンドセットＩＤから相手先の電話機（不図示）を特定し、その電話機の電話機ＩＤを含む接続指示信号を電話機１０ｂに送信する（ステップ１１１２）。電話機１０ｂは、接続指示信号を受信すると、信号に含まれる電話機ＩＤに対して通信接続を要求し、その応答を受けると、通信が確立する。続いて、管理サーバ３０は、電話機１０ａに対して、ハンドセット２０ａとの通信を切断する旨を要求する（ステップ１１１３）。電話機１０ａがハンドセット２０ａとの通信を切断しても、ハンドセット２０ａは新たに通信接続された電話機１０ｂを介して相手先の電話機（不図示）と音声データの送受信を継続する。
【００４９】
なお、ステップ１１０４の後、ハンドセット２０ａは電話機１０ｂから接続了承信号を受信できなければ、他の電話機から接続了承信号を受信できるまで、一定の時間毎に接続要求信号を送出する。
【００５０】
上述したように、本実施形態の通信システムでは、ハンドセット２０ａが電話機１０ａを介して他の電話機と音声データの送受信を行っている状態で、ハンドセット２０ａが電話機１０ａとの無線通信範囲より離れそうになると、ハンドセット２０ａと無線通信可能な他の電話機を探す。そして、無線通信可能な他の電話機１０ｂが見つかると、ハンドセット２０ａは無線通信の接続先を電話機１０ａから電話機１０ｂに切り替え、電話機１０ｂを介して音声データの送受信を継続できる。
【００５１】
本実施形態によれば、ハンドセットが電話機本体と近距離無線通信により通信を確立し、その電話機を介して他の電話機と通信を開始した後、ハンドセットが電話機との通信受信範囲を超えて移動しても、通信相手とのデータ送受信を維持できる。その理由は、ハンドセットが電話機との無線通信範囲から完全に離れる前に他の新しい電話機と無線通信を確立し、新たに通信確立した電話機を介してデータの送受信を継続できるからである。電話機に付属するハンドセットがその電話機との無線通信範囲を超えても、他の電話機との無線通信を行うことでハンドオーバを実現でき、利用者は無線通信範囲を気にしなくてもすむ。
【００５２】
また、ハンドセットは通信を許可された電話機とだけ接続するため、ハンドセットが通信を許可されていない機器と接続されることを防げる。
【００５３】
また、受話器との通信のために近距離無線通信機能を備えた複数の電話機を利用することで、近距離無線通信専用のアンテナを設置する必要がなく、設備かかる費用を抑制できる。
【００５４】
なお、本実施形態では、Bluetooth（登録商標）のような近距離無線通信の機器をハンドセットの場合で説明したが、本発明を近距離無線通信で通信を行う各種機器の移動通信に適用できる。
【図面の簡単な説明】
【００５５】
【図１】本実施形態の通信システムを説明するための図である。
【図２】本実施形態における電話機およびハンドセットの一構成例を示すブロック図である。
【図３】本実施形態における電話機本体の動作手順を示すフローチャートである。
【図４】本実施形態における管理サーバの一構成例を示すブロック図である。
【図５】本実施形態の通信システムの動作を説明するための図である。
【図６】本実施形態の通信システムの動作手順を示すフローチャートである。
【符号の説明】
【００５６】
１０ａ、１０ｂ    電話機
２０ａ、２０ｂ    ハンドセット
３０    管理サーバ
１００    ネットワーク
【図１】
0005003540.tif 000002
【図２】
0005003540.tif 000003
【図３】
0005003540.tif 000004
【図４】
0005003540.tif 000005
【図５】
0005003540.tif 000006
【図６】
0005003540.tif 000007